(57)【要約】【課題】迅速にかつ適切にエンジンを始動させることが可能なエンジンシステムおよび鞍乗り型車両を提供する。【解決手段】アイドリングストップ条件が満たされることによってエンジンにおける燃焼が停止した後に、クランク軸の慣性による回転が停止した場合、正回転位置合わせ動作が開始され、クランク軸が正方向に回転される。正回転位置合わせ動作の開始後であって再始動条件が満たされる前にクランク角が予め定められた逆回転開始範囲に到った場合、クランク角が逆回転開始範囲で保持され、その後に再始動条件が満たされると、逆回転始動動作が行われる。正回転位置合わせ動作の開始後であってクランク角が逆回転開始範囲に到る前に再始動条件が満たされた場合、クランク角が逆回転開始範囲を正方向に通過しかつ燃焼室内の圧力が上昇するようにクランク軸が正方向に回転される正回転圧縮動作が行われ、その後に逆回転始動動作が行われる。【選択図】図６
2016176444.tif 000002
【特許請求の範囲】
【請求項１】
エンジンと、
前記エンジンのクランク軸を回転させる回転駆動部と、
前記エンジンおよび前記回転駆動部を制御する制御部とを備え、
前記制御部は、
予め定められたアイドリングストップ条件が満たされてから予め定められた再始動条件が満たされるまでの期間に前記エンジンの燃焼室内で燃焼が発生しないように前記エンジンを制御し、
前記アイドリングストップ条件が満たされた後にクランク軸の慣性による回転が停止した場合、前記回転駆動部は、前記クランク軸を正方向に回転させる正回転位置合わせ動作を開始し、
前記正回転位置合わせ動作の開始後であって前記再始動条件が満たされる前にクランク角が予め定められた逆回転開始範囲に到った場合、前記回転駆動部は、クランク角を前記逆回転開始範囲で保持させ、その後に前記再始動条件が満たされると、前記回転駆動部および前記エンジンは、前記クランク軸を逆方向に回転させた後に前記燃焼室内で混合気を燃焼させることにより前記クランク軸を正方向に駆動する逆回転始動動作を行い、
前記正回転位置合わせ動作の開始後であってクランク角が前記逆回転開始範囲に到る前に前記再始動条件が満たされた場合、前記回転駆動部は、クランク角が前記逆回転開始範囲を前記正方向に通過しかつ前記燃焼室内の圧力が上昇するように前記クランク軸を正方向に回転させる正回転圧縮動作を行い、その後に前記回転駆動部および前記エンジンが前記逆回転始動動作を行う、エンジンシステム。
【請求項２】
運転者により操作されるメインスイッチおよびスタータスイッチをさらに備え、
前記メインスイッチがオンされかつ前記スタータスイッチがオンされた場合、前記回転駆動部が前記正回転圧縮動作を行った後に前記回転駆動部および前記エンジンが前記逆回転始動動作を行う、請求項１記載のエンジンシステム。
【請求項３】
前記アイドリングストップ条件が満たされた後であってクランク軸の慣性による回転が停止する前に前記再始動条件が満たされた場合で、かつ前記再始動条件が満たされたときに前記クランク軸の回転速度がしきい値よりも低い場合、前記回転駆動部が前記正回転圧縮動作を行った後に前記回転駆動部および前記エンジンが前記逆回転始動動作を行う、請求項１または２記載のエンジンシステム。
【請求項４】
前記アイドリングストップ条件が満たされた後であってクランク軸の慣性による回転が停止する前に前記再始動条件が満たされた場合で、かつ前記再始動条件が満たされたときの前記クランク軸の回転速度が前記しきい値以上である場合、前記回転駆動部および前記エンジンが前記逆回転始動動作を行うことなく、前記回転駆動部が、クランク角が圧縮上死点に対応する角度を超えるように前記クランク軸を正方向に回転させる、請求項３記載のエンジンシステム。
【請求項５】
クランク角と前記しきい値との関係を表すしきい値設定情報を記憶する記憶部をさらに備え、
前記制御部は、前記再始動条件が満たされたときのクランク角および前記記憶部に記憶されるしきい値設定情報に基づいて前記しきい値を設定する、請求項３または４記載のエンジンシステム。
【請求項６】
前記回転駆動部に前記クランク軸を駆動するための電力を供給する電力供給部をさらに備え、
前記正回転位置合わせ動作時に前記電力供給部から前記回転駆動部に供給される電力は、前記正回転圧縮動作時に前記電力供給部から前記回転駆動部に供給される電力よりも小さい、請求項１〜５のいずれか一項に記載のエンジンシステム。
【請求項７】
駆動輪を有する本体部と、
前記駆動輪を回転させるための動力を発生する請求項１〜６のいずれか一項に記載のエンジンシステムとを備えた、鞍乗り型車両。
【発明の詳細な説明】
【技術分野】
【０００１】
本発明は、エンジンシステムおよび鞍乗り型車両に関する。
【背景技術】
【０００２】
自動二輪車等の鞍乗り型車両において、エンジンの始動動作の際には、クランク角が最初の圧縮上死点に対応する角度を超えるために大きなトルクが必要となる。そこで、エンジンの始動性を高めるため、クランク軸を逆方向に回転させる技術がある。
【０００３】
特許文献１に記載されるエンジンシステムにおいては、エンジンの始動時に、クランク軸が逆方向に回転されつつ燃焼室内に混合気が導入される。クランク軸の逆方向の回転によって燃焼室内の混合気が圧縮される状態で、燃焼室内の混合気に点火される。混合気の燃焼のエネルギーにより、クランク軸が正方向に回転駆動され、クランク軸の正方向のトルクが高められる。
【先行技術文献】
【特許文献】
【０００４】
【特許文献１】特開２０１４−７７４０５号公報
【発明の概要】
【発明が解決しようとする課題】
【０００５】
エンジンのアイドリングストップおよび再始動が自動的に行われる鞍乗り型車両においては、アイドリングストップ後、例えばアクセルグリップが操作されると、エンジンが再始動される。この場合、ドライバビリティーを高めるため、より迅速にかつ適切にエンジンを始動させることが求められる。
【０００６】
本発明の目的は、迅速にかつ適切にエンジンを始動させることが可能なエンジンシステムおよび鞍乗り型車両を提供することである。
【課題を解決するための手段】
【０００７】
（１）第１の発明に係るエンジンシステムは、エンジンと、エンジンのクランク軸を回転させる回転駆動部と、エンジンおよび回転駆動部を制御する制御部とを備え、制御部は、予め定められたアイドリングストップ条件が満たされてから予め定められた再始動条件が満たされるまでの期間にエンジンの燃焼室内で燃焼が発生しないようにエンジンを制御し、アイドリングストップ条件が満たされた後にクランク軸の慣性による回転が停止した場合、回転駆動部は、クランク軸を正方向に回転させる正回転位置合わせ動作を開始し、正回転位置合わせ動作の開始後であって再始動条件が満たされる前にクランク角が予め定められた逆回転開始範囲に到った場合、回転駆動部は、クランク角を逆回転開始範囲で保持させ、その後に再始動条件が満たされると、回転駆動部およびエンジンは、クランク軸を逆方向に回転させた後に燃焼室内で混合気を燃焼させることによりクランク軸を正方向に駆動する逆回転始動動作を行い、正回転位置合わせ動作の開始後であってクランク角が逆回転開始範囲に到る前に再始動条件が満たされた場合、回転駆動部は、クランク角が逆回転開始範囲を正方向に通過しかつ燃焼室内の圧力が上昇するようにクランク軸を正方向に回転させる正回転圧縮動作を行い、その後に回転駆動部およびエンジンが逆回転始動動作を行う。
【０００８】
このエンジンシステムにおいては、アイドリングストップ条件が満たされると、エンジンにおける燃焼が停止される。その後、クランク軸の慣性による回転が停止すると、回転駆動部の正回転位置合わせ動作によりクランク軸が正方向に回転される。
【０００９】
正回転位置合わせ動作の開始後であって再始動条件が満たされる前にクランク角が逆回転開始範囲に到った場合、クランク角が逆回転開始範囲に保持される。その後、再始動条件が満たされると、回転駆動部およびエンジンの逆回転始動動作により、クランク軸が逆方向に回転された後に燃焼室内で混合気が燃焼され、クランク軸が正方向に駆動される。この場合、クランク軸の慣性による回転が停止したときのクランク角にばらつきがあっても、再始動条件が満たされた際に、クランク角が一定の逆回転始動範囲にある状態から逆回転始動動作が開始される。それにより、逆回転始動動作において、燃焼室内で混合気を適切に圧縮することができる。したがって、混合気を適切に燃焼させることができる。
【００１０】
一方、正回転位置合わせ動作の開始後であってクランク角が逆回転開始範囲に到る前に再始動条件が満たされた場合、回転駆動部の正回転圧縮動作により、クランク角が逆回転開始範囲を正方向に通過しかつ燃焼室内の圧力が上昇するようにクランク軸が正方向に回転される。その後、回転駆動部およびエンジンの逆回転始動動作が行われる。この場合、正回転圧縮動作で上昇された燃焼室内の圧力により、クランク軸が逆方向に駆動される。それにより、クランク軸の回転を停止させることなく、正回転圧縮動作から逆回転始動動作に円滑に移行することができる。そのため、再始動条件が満たされてから逆回転始動動作が開始されるまでの時間を短縮することができる。また、逆回転始動動作において、燃焼室内で混合気を適切に圧縮することができるので、混合気を適切に燃焼させることができる。
【００１１】
これらにより、アイドリングストップ条件が満たされることによるエンジンの停止後であって、再始動条件が満たされた際に、迅速にかつ適切にエンジンを始動させることができる。
【００１２】
（２）エンジンシステムは、運転者により操作されるメインスイッチおよびスタータスイッチをさらに備え、メインスイッチがオンされかつスタータスイッチがオンされた場合、回転駆動部が正回転圧縮動作を行った後に回転駆動部およびエンジンが逆回転始動動作を行ってもよい。
【００１３】
メインスイッチおよびスタータスイッチがオンされることよってエンジンが始動される場合には、エンジンの始動直後に車両が発進される可能性が低い。そのため、再始動条件が満たされる場合に比べて、エンジンの始動に比較的長い時間を要してもよい。そこで、メインスイッチおよびスタータスイッチがオンされた後に正回転圧縮動作および逆回転始動動作が順に行われる。この場合、メインスイッチおよびスタータスイッチがオンされる前にクランク角が変化する等の外乱要因が生じても、逆回転始動動作が阻害されることはない。したがって、エンジンを適切に始動させることができる。
【００１４】
（３）アイドリングストップ条件が満たされた後であってクランク軸の慣性による回転が停止する前に再始動条件が満たされた場合で、かつ再始動条件が満たされたときにクランク軸の回転速度がしきい値よりも低い場合、回転駆動部が正回転圧縮動作を行った後に回転駆動部およびエンジンが逆回転始動動作を行ってもよい。
【００１５】
クランク軸の回転速度がしきい値よりも低い場合、クランク軸の正方向のトルクが比較的小さい。この場合、正回転圧縮動作および逆回転始動動作を順に行うことにより、エンジンを適切に始動させることができる。
【００１６】
（４）アイドリングストップ条件が満たされた後であってクランク軸の慣性による回転が停止する前に再始動条件が満たされた場合で、かつ再始動条件が満たされたときのクランク軸の回転速度がしきい値以上である場合、回転駆動部およびエンジンが逆回転始動動作を行うことなく、回転駆動部が、クランク角が圧縮上死点に対応する角度を超えるようにクランク軸を正方向に回転させてもよい。
【００１７】
クランク軸の回転速度がしきい値以上である場合、クランク軸の正方向のトルクが比較的大きい。この場合、正回転圧縮動作および逆回転始動動作を行うことなく、回転駆動部によってクランク軸を正方向に回転させることにより、クランク角が最初の圧縮上死点に対応する角度を超えることができる。したがって、より迅速にエンジンを始動させることができる。
【００１８】
（５）エンジンシステムは、クランク角としきい値との関係を表すしきい値設定情報を記憶する記憶部をさらに備え、制御部は、再始動条件が満たされたときのクランク角および記憶部に記憶されるしきい値設定情報に基づいてしきい値を設定してもよい。
【００１９】
この場合、再始動条件が満たされたときのクランク角に対応する適切なしきい値を設定することができる。
【００２０】
（６）エンジンシステムは、回転駆動部にクランク軸を駆動するための電力を供給する電力供給部をさらに備え、正回転位置合わせ動作時に電力供給部から回転駆動部に供給される電力は、正回転圧縮動作時に電力供給部から回転駆動部に供給される電力よりも小さくてもよい。
【００２１】
正回転位置合わせ動作時には、再始動条件が満たされていないので、クランク軸の正方向の回転速度を高める必要がない。そのため、回転駆動部への供給電力が小さくされることにより、電力の消費が抑制される。一方、正回転圧縮動作時には、再始動条件が満たされている。この場合、回転駆動部への供給電力が大きくされることにより、クランク軸の正方向の回転速度が高められる。それにより、正回転圧縮動作を迅速に行うことができ、エンジンの始動性を高めることができる。
【００２２】
（７）第２の発明にかかる鞍乗り型車両は、駆動輪を有する本体部と、駆動輪を回転させるための動力を発生する、上記のエンジンシステムとを備える。
【００２３】
この鞍乗り型車両においては、上記のエンジンシステムが用いられるので、迅速にかつ適切にエンジンを始動させることができる。
【発明の効果】
【００２４】
本発明によれば、迅速にかつ適切にエンジンを始動させることができる。
【図面の簡単な説明】
【００２５】
【図１】本発明の一実施の形態に係る自動二輪車の概略構成を示す模式的側面図である。
【図２】エンジンシステムの構成について説明するための模式図である。
【図３】エンジンユニットの通常動作について説明するための図である。
【図４】エンジンユニットの逆回転始動動作について説明するための図である。
【図５】アイドリングストップ条件が満たされた後のエンジンユニットの動作について説明するための図である。
【図６】アイドリングストップ条件が満たされた後のエンジンユニットの動作について説明するための図である。
【図７】アイドリングストップ条件が満たされた後のエンジンユニットの動作について説明するための図である。
【図８】アイドリングストップ条件が満たされた後のエンジンユニットの動作について説明するための図である。
【図９】選択用しきい値の設定例について説明するための図である。
【図１０】アイドリングストップ処理の一例を示すフローチャートである。
【図１１】再始動処理の一例を示すフローチャートである。
【図１２】スイッチ始動操作時におけるエンジンユニットの動作について説明するための図である。
【発明を実施するための形態】
【００２６】
以下、本発明の実施の形態に係るエンジンシステムおよび自動二輪車について図面を参照しながら説明する。自動二輪車は、鞍乗り型車両の一例である。
【００２７】
（１）自動二輪車
図１は、本発明の一実施の形態に係る自動二輪車の概略構成を示す模式的側面図である。図１の自動二輪車１００においては、車体１の前部にフロントフォーク２が左右方向に揺動可能に設けられる。フロントフォーク２の上端にハンドル４が取り付けられ、フロントフォーク２の下端に前輪３が回転可能に取り付けられる。
【００２８】
車体１の略中央上部にシート５が設けられる。シート５の下方にＥＣＵ（Engine Control Unit）６、バッテリＢＴおよびエンジンユニットＥＵが設けられる。ＥＣＵ６、バッテリＢＴおよびエンジンユニットＥＵは、エンジンシステム２００を構成する。車体１の後端下部には後輪７が回転可能に取り付けられる。エンジンユニットＥＵによって発生される動力により後輪７が回転駆動される。
【００２９】
（２）エンジンシステム
図２は、エンジンシステム２００の構成について説明するための模式図である。図２に示すように、エンジンユニットＥＵは、エンジン１０および回転電機１４を含む。エンジン１０は、シリンダＣＹ、ピストン１１、コンロッド（コネクティングロッド）１２、クランク軸１３、吸気バルブ１５、排気バルブ１６、バルブ駆動部１７、点火装置１９およびインジェクタ１８を備える。
【００３０】
ピストン１１はシリンダ３１内で往復動可能に設けられ、コンロッド１２を介してクランク軸１３に接続される。クランク軸１３に回転電機１４が設けられる。回転電機１４は、バッテリＢＴに接続され、バッテリＢＴから供給される電力によりクランク軸１３を正方向または逆方向に駆動可能であり、かつクランク軸１３の回転によって発生する電力によりバッテリＢＴを充電可能である。正方向は、エンジン１０の通常動作時におけるクランク軸１３の回転方向であり、逆方向は、その逆の方向である。回転電機１４は、減速機を介することなく直接的にクランク軸１３にトルクを伝達する。クランク軸１３の正方向の回転（正回転）が後輪７に伝達されることにより、後輪７が回転駆動される。回転電機１４の代わりに、スタータモータおよび発電機が個別に設けられてもよい。
【００３１】
シリンダＣＹおよびピストン１１により燃焼室３１ａが区画される。燃焼室３１ａは、吸気口２１を介して吸気通路２２に連通し、排気口２３を介して排気通路２４に連通する。吸気口２１を開閉するように吸気バルブ１５が設けられ、排気口２３を開閉するように排気バルブ１６が設けられる。吸気バルブ１５および排気バルブ１６は、バルブ駆動部１７により駆動される。吸気通路２２には、外部から流入する空気の流量を調整するためのスロットルバルブＴＶが設けられる。インジェクタ１８は、吸気通路２２に燃料を噴射するように構成される。点火装置１９は、燃焼室３１ａ内の混合気に点火するように構成される。
【００３２】
インジェクタ１８によって噴射された燃料が空気と混合されて燃焼室３１ａに導かれ、点火装置１９により燃焼室３１ａ内の混合気に点火される。混合気の燃焼によるピストン１１の往復運動がクランク軸１３の回転運動に変換される。クランク軸１３の回転力が図１の後輪７に伝達されることにより後輪７が駆動される。
【００３３】
ＥＣＵ６は、例えばＣＰＵ（中央演算処理装置）およびメモリを含む。ＣＰＵおよびメモリの代わりに、マイクロコンピュータが用いられてもよい。ＥＣＵ６には、メインスイッチ４０、スタータスイッチ４１、吸気圧力センサ４２、クランク角センサ４３および電流センサ４４が電気的に接続される。メインスイッチ４０は、例えば図１のハンドル４の下方に設けられ、スタータスイッチ４１は、例えば図１のハンドル４に設けられる。メインスイッチ４０およびスタータスイッチ４１は、運転者により操作される。吸気圧力センサ４２は、吸気通路２２内の圧力を検出する。クランク角センサ４３は、クランク軸１３の回転位置を表すクランク角を検出する。電流センサ４４は、回転電機１４に流れる電流（以下、モータ電流と呼ぶ）を検出する。
【００３４】
メインスイッチ４０およびスタータスイッチ４１の操作が操作信号としてＥＣＵ６に与えられ、吸気圧力センサ４２、クランク角センサ４３および電流センサ４４による検出結果が検出信号としてＥＣＵ６に与えられる。ＥＣＵ６は、与えられた操作信号および検出信号に基づいて、回転電機１４、インジェクタ１８および点火装置１９を制御する。
【００３５】
（３）エンジンユニットの動作
図２のメインスイッチ４０がオンされかつスタータスイッチ４１がオンされることによりエンジン１０が始動され、図２のメインスイッチ４０がオフされることにより、エンジン１０が停止される。エンジン１０の始動とは、インジェクタ１８による燃料噴射および点火装置１９による点火が開始されることによって燃焼室３１ａ内での燃焼が開始されることをいう。エンジン１０の停止とは、インジェクタ１８による燃料噴射および点火装置１９による点火の少なくとも一方が停止されることによって燃焼室３１ａ内での燃焼が停止されることをいう。
【００３６】
また、予め定められたアイドリングストップ条件が満たされることによりエンジン１０が自動的に停止され、その後に予め定められた再始動条件が満たされることによりエンジン１０が自動的に再始動される。アイドリングストップ条件は、例えば、スロットル開度（スロットルバルブＴＶの開度）、車速およびエンジン１０の回転速度のうち少なくとも１つに関する条件を含み、さらにブレーキレバーが操作されること等の他の条件を含んでもよい。再始動条件は、例えば、アクセルグリップが操作されてスロットル開度が０より大きくなることであり、ブレーキレバーの操作が解除されること等の他の条件であってもよい。以下、アイドリングストップ条件が満たされることによってエンジン１０が停止された状態をアイドリングストップ状態と呼ぶ。
【００３７】
エンジンユニットＥＵは、エンジン１０の始動時に逆回転始動動作を行う。その後、エンジンユニットＥＵは、吸気行程、圧縮行程、膨張行程および排気行程を含む通常動作を行う。図３は、エンジンユニットＥＵの通常動作について説明するための図である。図４は、エンジンユニットＥＵの逆回転始動動作について説明するための図である。
【００３８】
以下の説明では、圧縮行程から膨張行程への移行時にピストン１１が経由する上死点を圧縮上死点と呼び、排気行程から吸気行程への移行時にピストン１１が経由する上死点を排気上死点と呼ぶ。吸気行程から圧縮行程への移行時にピストン１１が経由する下死点を吸気下死点と呼び、膨張行程から排気行程への移行時にピストン１１が経由する下死点を膨張下死点と呼ぶ。
【００３９】
図３および図４においては、クランク軸１３の２回転（７２０度）の範囲における回転角度が１つの円で表される。クランク軸１３の２回転は、エンジン１０の１サイクルに相当する。図２のクランク角センサ４３は、クランク軸１３の１回転（３６０度）の範囲における回転位置を検出する。ＥＣＵ６は、吸気圧力センサ４２により検出された吸気通路２２内の圧力に基づいて、クランク角センサ４３により検出された角度が、エンジン１０の１サイクルに相当するクランク軸１３の２回転のうちいずれの回転に対応するかを判定する。それにより、ＥＣＵ６は、クランク軸１３の２回転（７２０度）の範囲における回転位置をクランク角として取得することができる。
【００４０】
図３および図４において、角度Ａ０は、ピストン１１（図２）が排気上死点に位置するときのクランク角であり、角度Ａ２は、ピストン１１が圧縮上死点に位置するときのクランク角であり、角度Ａ１は、ピストン１１が吸気下死点に位置するときのクランク角であり、角度Ａ３は、ピストン１１が膨張下死点に位置するときのクランク角である。矢印Ｒ１は、クランク軸１３の正回転時におけるクランク角の変化の方向を表し、矢印Ｒ２は、クランク軸１３の逆回転時におけるクランク角の変化の方向を表す。矢印Ｐ１〜Ｐ４は、クランク軸１３の正回転時におけるピストン１１の移動方向を表し、矢印Ｐ５〜Ｐ８は、クランク軸１３の逆回転時におけるピストン１１の移動方向を表す。
【００４１】
（３−１）通常動作
図３を参照しながらエンジンユニットＥＵの通常動作について説明する。通常動作では、クランク軸１３（図２）が正回転し、クランク角が矢印Ｒ１の方向に変化する。この場合、矢印Ｐ１〜Ｐ４で示されるように、角度Ａ０から角度Ａ１までの範囲でピストン１１（図２）が下降し、角度Ａ１から角度Ａ２までの範囲でピストン１１が上昇し、角度Ａ２から角度Ａ３までの範囲でピストン１１が下降し、角度Ａ３から角度Ａ０までの範囲でピストン１１が上昇する。
【００４２】
角度Ａ１１において、インジェクタ１８（図２）により吸気通路２２（図２）に燃料が噴射される。正方向において、角度Ａ１１は角度Ａ０よりも進角側に位置する。続いて、角度Ａ１２から角度Ａ１３までの範囲において、吸気バルブ１５（図２）により吸気口２１（図２）が開かれる。正方向において、角度Ａ１２は角度Ａ１１よりも遅角側でかつ角度Ａ０よりも進角側に位置し、角度Ａ１３は角度Ａ１よりも遅角側に位置する。角度Ａ１２から角度Ａ１３までの範囲が通常吸気範囲の例である。これにより、空気および燃料を含む混合気が吸気口２１を通して燃焼室３１ａ（図２）内に導入される。
【００４３】
次に、角度Ａ１４において、点火装置１９（図２）により燃焼室３１ａ（図２）内の混合気に点火される。正方向において、角度Ａ１４は角度Ａ１３よりも遅角側でかつ角度Ａ２よりも進角側に位置する。混合気に点火されることにより、燃焼室３１ａ内で爆発（混合気の燃焼）が生じる。混合気の燃焼のエネルギーがピストン１１の駆動力となる。その後、角度Ａ１５から角度Ａ１６までの範囲において、排気バルブ１６（図２）により排気口２３（図２）が開かれる。正方向において、角度Ａ１５は角度Ａ３よりも進角側に位置し、角度Ａ１６は角度Ａ０よりも遅角側に位置する。角度Ａ１５から角度Ａ１６までの範囲が通常排気範囲の例である。これにより、燃焼室３１ａから排気口２３を通して燃焼後の気体が排出される。
【００４４】
（３−２）逆回転始動動作
図４を参照しながらエンジンユニットＥＵの逆回転始動動作について説明する。本実施の形態では、逆回転始動動作の前に、正方向において角度Ａ１よりも遅角側でかつ角度Ａ２よりも進角側にクランク角が調整される。逆回転始動動作の前のクランク角の調整については後述する。
【００４５】
逆回転始動動作では、回転電機１４（図２）によりクランク軸１３が逆回転され、クランク角が矢印Ｒ２の方向に変化する。この場合、矢印Ｐ５〜Ｐ８で示されるように、角度Ａ２から角度Ａ１までの範囲でピストン１１が下降し、角度Ａ１から角度Ａ０までの範囲でピストン１１が上昇し、角度Ａ０から角度Ａ３までの範囲でピストン１１が下降し、角度Ａ３から角度Ａ２までの範囲でピストン１１が上昇する。クランク軸１３の逆回転時におけるピストン１１の移動方向は、クランク軸１３の正回転時におけるピストン１１の移動方向と逆になる。
【００４６】
本例では、クランク軸１３の逆回転時においても、正回転時と同様に、角度Ａ１３から角度Ａ１２までの範囲で吸気口２１が開かれ、かつ角度Ａ１６からＡ１５までの範囲で排気口２３が開かれる。クランク軸１３の逆回転時には、角度Ａ１３から角度Ａ１２までの範囲で吸気口２１が開かれなくてもよく、また、角度Ａ１６から角度Ａ１５までの範囲で排気口２３が開かれなくてもよい。
【００４７】
角度Ａ２３において、インジェクタ１８（図２）により吸気通路２２（図２）に燃料が噴射される。逆方向において、角度Ａ２３は、角度Ａ１より遅角側でかつ角度Ａ０より進角側に位置する。また、角度Ａ２１から角度Ａ２２までの範囲において、吸気バルブ１５（図２）により吸気口２１（図２）が開かれる。角度Ａ２１から角度Ａ２２までの範囲は、始動吸気範囲の例である。逆方向において、角度Ａ２１，Ａ２２は、角度Ａ０から角度Ａ３までの範囲にある。角度Ａ１から角度Ａ０までの範囲では、ピストン１１が上昇するので、角度Ａ１３から角度Ａ１２までの範囲で吸気口２１が開かれても、燃焼室３１ａに空気および燃料がほとんど導入されない。一方、角度Ａ０から角度Ａ３までの範囲では、ピストン１１が下降するので、角度Ａ２１から角度Ａ２２までの範囲で吸気口２１が開かれることにより、吸気通路２２から空気および燃料を含む混合気が吸気口２１を通して燃焼室３１ａ内に導入される。
【００４８】
クランク角が角度Ａ２に近づくことにより、燃焼室３１ａに導入された混合気が圧縮される。角度Ａ３１において、点火装置１９（図２）により燃焼室３１ａ内の混合気に点火される。逆方向において、角度Ａ３１は角度Ａ３よりも遅角側でかつ角度Ａ２よりも進角側に位置する。角度Ａ３１は、始動点火範囲の例である。例えば、図２の電流センサ４４により検出されるモータ電流がしきい値に達したときに、点火装置１９により混合気に点火される。また、角度Ａ３１において、クランク軸１３の回転方向が逆方向から正方向に切り替えられる。この場合、混合気の燃焼によってクランク軸１３が正方向に駆動され、クランク軸１３の正方向のトルクが高められる。それにより、クランク角が最初の圧縮上死点に対応する角度Ａ２を超えることができる。その後、エンジンユニットＥＵが上記の通常動作に移行する。
【００４９】
本例では、クランク軸１３の逆回転が停止されるのと同時に、点火装置１９により燃焼室３１ａ内の混合気に点火されるが、クランク軸１３を正方向に駆動することが可能であれば、クランク軸１３の逆回転が停止された後に点火装置１９による点火が行われてもよい。
【００５０】
（４）クランク角の調整
図５〜図８は、アイドリングストップ条件が満たされた後のエンジンユニットＥＵの動作について説明するための図である。図５〜図８においては、クランク角とクランク軸１３の回転負荷との関係が参考として示される。クランク角は横軸で表され、クランク軸１３の回転負荷は縦軸で表される。
【００５１】
図５に示すように、クランク軸１３の回転負荷は、圧縮上死点に対応する角度Ａ２で最も大きくなる。また、図５〜図８の例では、角度Ａ１と角度Ａ０との中間において、吸気バルブ１５を駆動するための負荷がクランク軸１３に加わるため、クランク軸１３の回転負荷が大きくなる。また、角度Ａ０と角度Ａ３との中間において、排気バルブ１６を駆動するための負荷がクランク軸１３に加わるため、クランク軸１３の回転負荷が大きくなる。
【００５２】
アイドリングストップ条件が満たされることによってエンジン１０が停止されると、クランク軸１３は、慣性によってしばらくの時間正回転した後に停止する。この場合、クランク軸１３の回転負荷が高くなったときにクランク軸１３の慣性による回転が停止しやすい。具体的には、クランク角が圧縮上死点に対応する角度Ａ２に近づいたときにクランク軸１３の回転が最も停止しやすい。一方、クランク角が角度Ａ０と角度Ａ１との間にあるとき、またはクランク角が角度Ａ３と角度Ａ０との間にあるときに、クランク軸１３の回転が停止することもある。
【００５３】
上記の逆回転始動動作では、クランク角が始動吸気範囲（図４の角度Ａ２１から角度Ａ２２までの範囲）にあるときにクランク軸１３の回転速度が低いと、混合気の流速が低くなり、混合気を適切に燃焼室３１ａに導入することができない。また、導入された混合気を十分に圧縮することができない可能性もある。そのため、クランク角が始動吸気範囲に到るまでにクランク軸１３の回転速度を一定以上に高める必要がある。
【００５４】
そこで、本実施の形態では、アイドリングストップ条件が満たされることによりエンジン１０が停止された後であってクランク軸１３の慣性による回転が停止した後、回転電機１４が正回転位置合わせ動作を開始する。正回転位置合わせ動作では、クランク軸１３が正回転されることによりクランク角が調整される。
【００５５】
（４−１）第１の例
図５（ａ）の例では、角度Ａ１と角度Ａ０との中間の角度Ａ４０において、クランク軸１３の慣性による回転が停止し、その状態から正回転位置合わせ動作としてクランク軸１３の正回転が開始される。その後、再始動条件が満たされる前に、クランク角が予め定められた角度Ａ３０に到る。角度Ａ３０は、逆回転始動範囲の例であり、正方向において角度Ａ１よりも遅角側でかつ角度Ａ２よりも進角側にある。本例のように、正回転始動動作が開始された後であって再始動条件が満たされる前にクランク角が逆回転開始範囲に到ると、クランク角の正回転が停止され、クランク角が逆回転開始範囲に保持される。
【００５６】
その後、再始動条件が満たされると、図５（ｂ）に示すように、クランク角が角度Ａ３０にある状態から逆回転始動動作が開始される。この場合、クランク角が始動吸気範囲（図４の角度Ａ２１から角度Ａ２２）に到るまでにクランク軸１３の回転速度が十分に高まる。そのため、始動吸気範囲で混合気が燃焼室３１ａに適切に導入される。また、導入された混合気を十分に圧縮することができる。それにより、混合気を適切に燃焼させることができる。
【００５７】
（４−２）第２の例
図６の例について図５の例と異なる点を説明する。正回転位置合わせ動作が開始された後、クランク角が逆回転開始範囲に到る前に再始動条件が満たされると、回転電機１４が正回転圧縮動作を行う。図６（ａ）の例では、クランク角が角度Ａ４０にある状態から正回転位置合わせ動作が開始された後、クランク角が角度Ａ３０に到る前であってクランク角が角度Ａ４０ａにあるときに再始動条件が満たされる。この場合、その時点から正回転圧縮動作が開始される。
【００５８】
正回転圧縮動作では、クランク角が逆回転開始範囲（角度Ａ３０）を正方向に通過し、かつクランク角が圧縮上死点に対応する角度Ａ２に近づくことによって燃焼室３１ａ内の圧力が上昇するようにクランク軸１３が正回転される。図６（ａ）の例では、クランク角が、正方向において角度Ａ３０よりも遅角側でかつ角度Ａ２よりも進角側の角度Ａ４１に到るまでクランク角が正方向に回転される。クランク角が角度Ａ４１に到ると、図６（ｂ）に示すように、逆回転始動動作が開始される。
【００５９】
この場合、正回転圧縮動作で上昇された燃焼室内の圧力により、クランク軸１３が逆方向に駆動される。それにより、正回転圧縮動作から逆回転始動動作に円滑に移行することができる。また、クランク角が始動吸気範囲に到るまでにクランク軸１３の回転速度が容易に高まる。そのため、始動吸気範囲で混合気が燃焼室３１ａに適切に導入される。また、導入された混合気を十分に圧縮することができる。それにより、混合気を適切に燃焼させることができる。
【００６０】
（４−３）第３の例
アイドリングストップ条件が満たされてから再始動条件が満たされるまでの時間が短い場合、クランク軸１３の慣性による回転が停止する前に再始動条件が満たされる。この場合、正回転位置合わせ動作が行われることなく、再始動条件が満たされたときのクランク軸１３の回転速度に基づいて、正回転圧縮動作または正回転始動動作のいずれかが選択的に行われる。クランク軸１３の回転速度は、図２のクランク角センサ４３による検出結果に基づいて得られる。
【００６１】
図７（ａ）の例では、クランク軸１３の慣性による回転中であって、クランク角が角度Ａ４２にあるときに、再始動条件が満たされる。再始動条件が満たされたときのクランク軸１３の回転速度が、予め定められた選択用しきい値より小さい場合、その時点から正回転圧縮動作が行われる。具体的には、図６（ａ）の例と同様に、クランク角が角度Ａ４１に到るようにクランク軸１３が正回転される。その後、図７（ｂ）に示すように、逆回転始動動作が行われる。
【００６２】
クランク軸１３の回転速度が小さいと、クランク軸１３の慣性による正方向のトルクが小さい。そこで、クランク軸１３の回転速度が選択用しきい値よりも小さい場合、正回転圧縮動作および逆回転始動動作を順に行うことにより、エンジン１０を適切に始動させることができる。
【００６３】
（４−４）第４の例
図８の例について図７の例と異なる点を説明する。図８の例では、角度Ａ４２において再始動条件が満たされたときのクランク軸１３の回転速度が、選択用しきい値以上である。この場合、クランク角が角度Ａ４２にある状態から正回転始動動作が行われる。正回転始動動作では、回転電機１４によりクランク軸１３が正方向に駆動されることにより、クランク角が圧縮上死点に対応する角度Ａ２を超える。クランク軸１３の回転速度が選択用しきい値以上である場合、クランク軸１３の慣性による正方向のトルクが比較的大きい。そのため、逆回転始動動作を行うことなく、クランク角が圧縮上死点に対応する角度Ａ２を超えることができる。なお、再始動条件が満たされたときのクランク軸１３の回転速度が十分に高い場合には、慣性によるトルクのみによってクランク角が圧縮上死点に対応する角度Ａ２を超える。そのため、回転電機１４がクランク軸１３を正方向に駆動しなくてもよい。
【００６４】
（４−５）選択用しきい値の設定
図７および図８の例で用いられる選択用しきい値は、予め定められた固定値であってもよく、再始動条件が満たされたときのクランク角に基づいて設定されてもよい。図９は、選択用しきい値の設定例について説明するための図である。図９には、選択用しきい値の設定に用いられるしきい値設定用マップが示される。しきい値設定用マップは、しきい値設定情報の一例である。
【００６５】
図９において、横軸がクランク角を表し、縦軸が選択用しきい値を表す。本例では、再始動条件が満たされたときのクランク角が、正方向において角度Ａ２よりも遅角側でかつ角度Ａ３ａよりも進角側にある場合、選択用しきい値は０に設定される。角度Ａ３ａは、正方向において角度Ａ３よりも遅角側でかつ角度Ａ０よりも進角側にある。また、クランク角が、正方向において角度Ａ３ａよりも遅角側でかつ角度Ａ２よりも進角側にある場合、選択用しきい値は、０より大きくかつ値ＴＨ以下の範囲で設定される。
【００６６】
クランク角が圧縮上死点に対応する角度Ａ２を超えた直後に再始動条件が満たされた場合、クランク角が次の角度Ａ２に到るまでに、クランク軸１３を一定角度以上回転させることができるので、その期間にクランク軸１３の回転速度を高めることができる。そのため、クランク角が次の角度Ａ２を超えることができる。そこで、本例では、再始動条件が満たされたときのクランク角が角度Ａ２よりも遅角側でかつ角度Ａ３ａよりも進角側にある場合、クランク軸１３の回転速度がいかなる値であっても、図８の正回転始動動作が行われる。
【００６７】
（４−６）回転電機への供給電力
正回転位置合わせ動作時に図２のバッテリＢＴから回転電機１４に供給される電力は、正回転圧縮動作時にバッテリＢＴから回転電機１４に供給される電力よりも小さくてもよい。
【００６８】
正回転位置合わせ動作時には、再始動条件が満たされていないので、クランク軸１３の正方向の回転速度を高める必要がない。そのため、回転電機１４への供給電力が比較的小さく調整されることにより、電力の消費が抑制される。一方、正回転圧縮動作時には、再始動条件が満たされている。この場合、回転電機１４への供給電力が比較的大きく調整されることにより、クランク軸１３の正方向の回転速度が高められる。それにより、正回転圧縮動作を迅速に行うことができ、エンジン１０の始動性を高めることができる。
【００６９】
（５）ＥＣＵの動作
ＥＣＵ６は、予めメモリに記憶された制御プログラムに基づいて、アイドリングストップ処理および再始動処理を行う。図１０は、アイドリングストップ処理の一例を示すフローチャートである。アイドリングストップ処理は、アイドリングストップ条件が満たされることにより開始される。図１０の例において、ＥＣＵ６は、アイドリングストップ条件が満たされると、インジェクタ１８による燃料噴射および点火装置１９による点火を停止することにより、エンジン１０を停止させる（ステップＳ１）。次に、ＥＣＵ６は、再始動条件が満たされたか否かを判定する（ステップＳ２）。再始動条件が満たされた場合、ＥＣＵ６は、メモリに記憶されるステータス情報を「位置合わせ前」に更新し（ステップＳ３）、アイドリングストップ処理を終了する。ステータス情報は、アイドリングストップ条件が満たされてから再始動条件が満たされるまでの期間におけるエンジンユニットＥＵの動作状態を表す。
【００７０】
再始動条件が満たされていない場合、ＥＣＵ６は、クランク角センサ４３の検出結果に基づいて、クランク軸１３の慣性による回転が停止したか否かを判定する（ステップＳ４）。クランク軸１３の回転が停止していない場合、ＥＣＵ６は、ステップＳ２に戻る。クランク軸１３の回転が停止すると、ＥＣＵ６は、図５および図６の正回転位置合わせ動作が行われるように、回転電機１４を制御する（ステップＳ５）。
【００７１】
次に、ＥＣＵ６は、再始動条件が満たされたか否かを判定する（ステップＳ６）。再始動条件が満たされた場合、ＥＣＵ６は、回転電機１４による正回転位置合わせ動作を停止するとともに（ステップＳ７）、ステータス情報を「位置合わせ中」に更新し（ステップＳ８）、アイドリングストップ処理を終了する。
【００７２】
再始動条件が満たされていない場合、ＥＣＵ６は、クランク角センサ４３の検出結果に基づいて、クランク角が逆回転開始範囲に到ったか否かを判定する（ステップＳ９）。クランク角が逆回転開始範囲に到っていない場合、ＥＣＵ６は、ステップＳ６に戻る。クランク角が逆回転開始範囲に到ると、ＥＣＵ６は、クランク角が逆回転開始範囲に保持されるように回転電機１４による正回転位置合わせ動作を停止するとともに（ステップＳ１０）、ステータス情報を「位置合わせ完了」に更新し、アイドリングストップ処理を終了する。
【００７３】
図１１は、再始動処理の一例を示すフローチャートである。再始動処理は、再始動条件が満たされることにより開始される。図１１に示すように、ＥＣＵ６は、再始動条件が満たされると、その時点でのステータス情報が「位置合わせ完了」であるか否かを判定する（ステップＳ２１）。ステータス情報が「位置合わせ完了」である場合、ＥＣＵ６は、逆回転始動動作が開始されるようにエンジンユニットＥＵを制御し（ステップＳ２２）、再始動処理を終了する。ステータス情報が「位置合わせ完了」でない場合、ＥＣＵ６は、その時点でのステータス情報が「位置合わせ中」であるか否かを判定する（ステップＳ２３）。ステータス情報が「位置合わせ中」である場合、ＥＣＵ６は、図６の例のように、正回転圧縮動作および逆回転始動動作が順に行われるようにエンジンユニットＥＵを制御し（ステップＳ２４，Ｓ２５）、再始動処理を終了する。
【００７４】
ステップＳ２３でステータス情報が「位置合わせ中」でない場合、ＥＣＵ６は、選択用しきい値を決定する（ステップＳ２６）。この場合、例えば、図９のしきい値設定用マップに基づいて、選択用しきい値が決定される。次に、ＥＣＵ６は、クランク角センサ４３の検出結果に基づいて、クランク軸１３の回転速度が決定された選択用しきい値以上であるか否かを判定する（ステップＳ２７）。クランク軸１３の回転速度が選択用しきい値以上である場合、ＥＣＵ６は、図８の例のように、正回転始動動作が行われるようにエンジンユニットＥＵを制御し（ステップＳ２８）、再始動処理を終了する。クランク軸１３の回転速度が選択用しきい値よりも小さい場合、ＥＣＵ６は、ステップＳ２４に進む。この場合、ＥＣＵ６は、図７の例のように、正回転圧縮動作および逆回転始動動作が順に行われるようにエンジンユニットＥＵを制御し（ステップＳ２４，Ｓ２５）、再始動処理を終了する。このようにして、図５〜図８の動作が実現される。
【００７５】
（６）スイッチ始動操作によるエンジンの始動
メインスイッチ４０がオフされることによってエンジン１０が停止された場合、上記のアイドリングストップ処理が行われない。そのため、クランク軸１３の慣性による回転の停止後にクランク角の調整は行われない。その後、図２のメインスイッチ４０がオンされかつスタータスイッチ４１がオンされると、エンジン１０が始動される。以下、メインスイッチ４０がオンされかつスタータスイッチ４１がオンされることをスイッチ始動操作と呼ぶ。図１２は、スイッチ始動操作時におけるエンジンユニットＥＵの動作について説明するための図である。
【００７６】
図１２の例について、図５〜図８の例と異なる点を説明する。図１２（ａ）の例では、クランク角が角度Ａ０と角度Ａ１の間の角度Ａ５０にある状態で、エンジン１０が停止している。その状態で、スイッチ始動操作が行われると、正回転圧縮動作が開始される。その後、図１２（ｂ）に示すように、逆回転始動動作が開始される。
【００７７】
スイッチ始動操作によってエンジンが始動される場合、その直後に自動二輪車１００が発進される可能性は低い。そのため、再始動条件が満たされる場合に比べて、エンジン１０の始動に比較的長い時間を要してもよい。そこで、本実施の形態では、スイッチ始動操作前にクランク角の調整が行われることはなく、スイッチ始動操作後に、正回転圧縮動作および逆回転始動動作が行われる。
【００７８】
仮に、スイッチ始動操作前に図５の正回転位置合わせ動作が行われ、スイッチ始動操作後に逆回転始動動作が行われた場合、クランク角が逆回転開始範囲に調整されてから逆回転始動動作が開始されるまでの期間にクランク角が変化する可能性がある。そのような外乱要因が、逆回転始動動作を阻害する可能性がある。これに対して、本実施の形態では、スイッチ始動操作後に正回転圧縮動作および逆回転始動動作が行われるので、スイッチ始動操作前にクランク角が変化しても、逆回転始動動作が阻害されることはない。したがって、エンジン１０を適切に始動させることができる。
【００７９】
（７）効果
本実施の形態に係るエンジンシステム２００においては、アイドリングストップ条件が満たされることによってエンジン１０が停止された後、クランク軸１３の慣性による回転が停止すると、正回転位置合わせ動作によりクランク軸１３が正方向に回転される。
【００８０】
正回転位置合わせ動作の開始後であって再始動条件が満たされる前にクランク角が逆回転開始範囲に到った場合、クランク角が逆回転開始範囲に保持される。その後、再始動条件が満たされると、逆回転始動動作が行われる。この場合、クランク軸１３の慣性による回転が停止したときのクランク角にばらつきがあっても、再始動条件が満たされた際に、クランク角が一定の逆回転始動範囲にある状態から逆回転始動動作が開始される。それにより、逆回転始動動作において、燃焼室３１ａ内で混合気を適切に圧縮することができる。したがって、混合気を適切に燃焼させることができる。
【００８１】
一方、正回転位置合わせ動作の開始後であってクランク角が逆回転開始範囲に到る前に再始動条件が満たされた場合、正回転圧縮動作および逆回転始動動作が順に行われる。この場合、正回転圧縮動作で上昇された燃焼室内の圧力により、クランク軸１３が逆方向に駆動される。それにより、クランク軸１３の回転を停止させることなく、正回転圧縮動作から逆回転始動動作に円滑に移行することができる。そのため、再始動条件が満たされてから逆回転始動動作が開始されるまでの時間を短縮することができる。また、逆回転始動動作において、燃焼室３１ａ内で混合気を適切に圧縮することができるので、混合気を適切に燃焼させることができる。
【００８２】
また、本実施の形態では、アイドリングストップ条件が満たされた後であってクランク軸１３の慣性による回転が停止する前に再始動条件が満たされた場合、その時点でのクランク軸１３の回転速度に基づいて、正回転圧縮動作または正回転始動動作のいずれかが選択的に行われる。クランク軸１３の回転速度が選択用しきい値よりも低い場合には、クランク軸１３の正方向のトルクが比較的小さいので、正回転圧縮動作が行われる。この場合、続けて逆回転始動動作が行われることにより、エンジン１０が適切に始動される。一方、クランク軸１３の回転速度が選択用しきい値以上である場合には、クランク軸１３の正方向のトルクが比較的大きいので、正回転始動動作が行われる。この場合、逆回転始動動作が行われることなく、エンジン１０が適切に始動される。これにより、再始動条件が満たされた時点でのクランク軸１３の回転速度に基づいて、迅速にかつ適切にエンジン１０を始動させることができる。
【００８３】
また、本実施の形態では、スイッチ始動操作によってエンジン１０が始動される場合、スイッチ始動操作前にクランク角が調整されることはなく、スイッチ始動操作後に正回転圧縮動作および逆回転始動動作が順に行われる。この場合、スイッチ始動操作前にクランク角が変化する等の外乱要因が生じても、逆回転始動動作が阻害されることはない。したがって、エンジン１０を適切に始動させることができる。
【００８４】
（８）他の実施の形態
（８−１）
上記実施の形態では、アイドリングストップ条件が満たされた後であってクランク軸１３の慣性による回転が停止する前に再始動条件が満たされた場合、その時点でのクランク軸１３の回転速度に基づいて、正回転圧縮動作または正回転始動動作のいずれかが選択的に行われるが、本発明はこれに限らない。アイドリングストップ条件が満たされた後であってクランク軸１３の慣性による回転が停止する前に再始動条件が満たされた場合、クランク軸１３の回転速度がいかなる値であっても、正回転圧縮動作および逆回転始動動作が順に行われてもよい。この場合、エンジンユニットＥＵの制御の複雑化を防止しつつ、エンジン１０を適切に始動させることができる。
【００８５】
（８−２）
上記実施の形態では、メインスイッチ４０およびスタータスイッチ４１がともにオンされた場合に、正回転圧縮動作および逆回転始動動作が順に行われるが、本発明はこれに限らない。例えば、メインスイッチ４０がオンされた後に正回転位置合わせ動作が行われ、スタータスイッチ４１がオンされた後に逆回転始動動作が行われてもよい。
【００８６】
（８−３）
上記実施の形態は、自動二輪車に本発明を適用した例であるが、これに限らず、自動三輪車もしくはＡＴＶ（All Terrain Vehicle；不整地走行車両）等の他の鞍乗り型車両に本発明を適用してもよい。
【００８７】
（９）請求項の各構成要素と実施の形態の各要素との対応
以下、請求項の各構成要素と実施の形態の各要素との対応の例について説明するが、本発明は下記の例に限定されない。
【００８８】
上記実施の形態では、エンジンシステム２００がエンジンシステムの例であり、エンジン１０がエンジンの例であり、回転電機１４が回転駆動部の例であり、ＥＣＵ６が制御部の例であり、メインスイッチ４０がメインスイッチの例であり、スタータスイッチ４１がスタータスイッチの例であり、選択用しきい値がしきい値の例であり、しきい値設定用マップがしきい値設定情報の例であり、ＥＣＵ６が記憶部の例であり、バッテリＢＴが電力供給部の例である。また、自動二輪車１００が鞍乗り型車両の例であり、車体１が本体部の例であり、後輪７が駆動輪の例である。
【００８９】
請求項の各構成要素として、請求項に記載されている構成または機能を有する他の種々の要素を用いることもできる。
【産業上の利用可能性】
【００９０】
本発明は、種々のエンジンシステムに有効に利用可能である。
【符号の説明】
【００９１】
１  車体
６  ＥＣＵ
７  後輪
１０  エンジン
１１  ピストン
１２  コンロッド
１３  クランク軸
１４  回転電機
１５  吸気バルブ
１６  排気バルブ
１７  バルブ駆動部
１８  インジェクタ
１９  点火装置
４０  メインスイッチ
４１  スタータスイッチ
４２  吸気圧力センサ
４３  クランク角センサ
４４  電流センサ
１００  自動二輪車
２００  エンジンシステム
ＢＴ  バッテリ
ＣＹ  シリンダ
ＥＵ  エンジンユニット
【図１】
2016176444.tif 000003
【図２】
2016176444.tif 000004
【図３】
2016176444.tif 000005
【図４】
2016176444.tif 000006
【図５】
2016176444.tif 000007
【図６】
2016176444.tif 000008
【図７】
2016176444.tif 000009
【図８】
2016176444.tif 000010
【図９】
2016176444.tif 000011
【図１０】
2016176444.tif 000012
【図１１】
2016176444.tif 000013
【図１２】
2016176444.tif 000014